(57)【特許請求の範囲】
【請求項１】
ロータリージョイント部を介して、回転するドライヤー内部に蒸気を供給する蒸気供給口と、ドライヤー内部で発生したドレンを外部に排出するサイフォン管を設けたものにおいて、サイフォン管の一端をドライヤー内壁面に接して又は内壁面の近傍で開口して、当該サイフォン管の開口部の内部にスチームトラップを取り付けると共に、スチームトラップの入口側を開口部側に配置することにより、スチームトラップに流入するドレンが、ドライヤー内へ供給される蒸気によって加熱されて再度蒸気となることはなく、スチームロッキング現象を生じないことを特徴とするシリンダードライヤー。
【発明の詳細な説明】
【０００１】
【発明の属する技術分野】
本発明は、製紙工場や繊維工場等において生産物を加熱したり乾燥するために用いられるシリンダードライヤーに関し、特に、ドライヤー内で発生する蒸気の凝縮水としてのドレンを速やかに外部へ排出することのできるシリンダードライヤーに関する。
【０００２】
シリンダードライヤーにおいては、加熱効率を高めたり、乾燥物としての製品の品質を一定に維持するために、ドライヤー内部で発生したドレンはできるだけ速やかに外部に排出しなければならない。特にドライヤー内壁面に滞留しているドレンは、蒸気の保有潜熱がドライヤー内面に伝わることを妨げて、熱伝達率の低下を来すために、極力速やかに排除することが望ましい。
【０００３】
【従来の技術】
従来のシリンダードライヤーとしては、例えば特開平４−３４３７８７号公報に示されたものがある。これは、サイフォン管の出口側の一端にドレン管を介してスチームトラップを接続して、ドライヤー内部で発生したドレンをこのスチームトラップから外部へ排出することができるものである。
【０００４】
【発明が解決しようとする課題】
上記従来のものでは、サイフォン管内をスチームトラップ側に向かって流下するドレンが、蒸気供給管からドライヤー内へ供給される蒸気によって加熱されて、再度蒸気となってスチームトラップに至るために、スチームトラップが閉弁してしまいドレンを排出することができなくなってしまう問題があった。
【０００５】
スチームトラップは、ドレンが流入してくると開弁してドレンを外部へ排出するが、蒸気が流入してくると閉弁して蒸気の外部への漏洩を防止する自動弁の一種であるが、もともとドレンであったものが加熱されて一旦蒸気となりスチームトラップに流入すると、スチームトラップは閉弁してしまうのである。このように、スチームトラップの入口側にドレンがあるのに蒸気の存在によりスチームトラップが閉弁してしまうことは、スチームトラップのスチームロッキング現象と呼ばれている。
【０００６】
従って本発明の課題は、スチームロッキング現象を防止して、ドライヤー内部で発生したドレンをスチームトラップを介して速やかに排除することのできるシリンダードライヤーを得ることである。
【０００７】
【課題を解決するための手段】
上記の課題を解決するために講じた本発明の手段は、ロータリージョイント部を介して、回転するドライヤー内部に蒸気を供給する蒸気供給口と、ドライヤー内部で発生したドレンを外部に排出するサイフォン管を設けたものにおいて、サイフォン管の一端をドライヤー内壁面に接して又は内壁面の近傍で開口して、当該サイフォン管の開口部の内部にスチームトラップを取り付けると共に、スチームトラップの入口側を開口部側に配置することにより、スチームトラップに流入するドレンが、ドライヤー内へ供給される蒸気によって加熱されて再度蒸気となることはなく、スチームロッキング現象を生じないものである。
【０００８】
【発明の実施の形態】
シリンダードライヤー内に供給された蒸気は熱を奪われて凝縮し、ドレンとなる。シリンダードライヤーは通常回転しながら用いられるために、ドレンには回転方向に沿った遠心力が作用し、その結果ドレンは円筒状内壁面に沿って溜る。サイフォン管の一端をドライヤーの内壁面に接して又は内壁面の近傍で開口すると共に、この開口部にスチームトラップを取り付けたことにより、円筒状内壁面に溜まったドレンは、開口部のスチームトラップから外部へ排除される。
【０００９】
スチームトラップから外部へ排除されるドレンの一部は、ドライヤー内へ供給される蒸気によって加熱され再度蒸気となるが、その出口側にスチームトラップが存在せず、従って、スチームロッキング現象を起こすことはない。
【００１０】
【実施例】
図1に本発明の実施例のシリンダードライヤー１の断面図を示す。横長円筒状のシリンダードライヤー１にロータリージョイント部２を介して、蒸気供給口３とサイフォン管５を設ける。蒸気供給口３には図示しない蒸気源と連通した蒸気供給管６を接続する。蒸気供給口３は、ロータリージョイント部２内の通路１２を介してシリンダードライヤー１の内部と連通する。
【００１１】
サイフォン管５のロータリージョイント部２側端部には、ドレン排出接続口７を介してドレン管８を接続する。シリンダードライヤー１は、ロータリージョイント部２の中心軸を中心にして回転可能に配置して、図示しないシリンダードライヤー１の外周に接する被加熱物を、蒸気供給口３から供給した蒸気によって間接的に加熱して、この加熱により生じたドレンを、サイフォン管５からドレン排出接続口７とドレン管８を通って外部に排出するものである。
【００１２】
サイフォン管５のドライヤー１内側端部に開口４を設けてその内部にスチームトラップ９を取り付ける。スチームトラップ９の取り付け方は、図示はしていないが、スチームトラップ９の外周に雄ネジ加工を行い、サイフォン管５内部の開口４部に雌ネジ加工を行い、それぞれをネジ接合することにより取り付けることができる。また、ネジ加工を行うことなく、スチームトラップ９の外周をサイフォン管５の内周に圧入して取り付けることもできる。
【００１３】
開口４は、本実施例においてはドライヤー１の内壁と僅かな隙間を介して設ける。スチームトラップ９の入口側１３を開口4側に、出口側１４をドレン排出接続口７側に配置する。スチームトラップ９は、従来から用いられている型式のものを用いることができるが、比較的形状の小さなサーモスタティク式スチームトラップが適する。サーモスタティク式スチームトラップとは、蒸気温度よりも１から2度Ｃ乃至は５から６度Ｃ程度低いドレンだけを流下排出するものである。
【００１４】
サイフォン管５の他端部はロータリージョイント部２内を貫通する水平管１１と接続する。水平管１１の右端部がドレン排出接続口７と接続する。
【００１５】
シリンダードライヤー１は回転しながら外周に接する被加熱物を加熱するが、蒸気供給口３と通路１２とサイフォン管５と水平管１１及びドレン排出接続口７は回転することがないものである。
【００１６】
シリンダードライヤー１内で被加熱物を加熱したことにより生じたドレンは、シリンダードライヤー１の内壁面に沿って溜まる。この内壁面上のドレンは、サイフォン管５の端部開口４からスチームトラッブ９に至り、出口側１４と水平管１１とドレン排出接続口７を通ってドレン管８から外部へ排出される。
【００１７】
スチームトラップ９を出たドレンの一部は、水平管１１を流下する間に、通路１２を流下する蒸気によって加熱され再度蒸気となるが、ドレン管８側にスチームトラップは存在しないために、この再蒸発蒸気がスチームトラップに流入してスチームロッキング現象を起こすことはない。
【００１８】
【発明の効果】
上記のように本発明のシリンダードライヤーでは、ドライヤー内壁面のサイフォン管の一端開口にスチームトラップを取り付けたことにより、スチームトラップに流入するドレンが、ドライヤー内へ供給される蒸気によって加熱されて再度蒸気となることが無いために、スチームロッキング現象を生じることがなく、シリンダードライヤー内のドレンをスチームトラップを介して速やかに排除することができる。
また、ドライヤー内壁面のドレンが速やかに排除されることにより、ドライヤー内壁面に薄層状のドレンが滞留することがなく、蒸気の保有潜熱による加熱を妨げることがないために、加熱効率の低下や加熱ムラを生じることがない。
【図面の簡単な説明】
【図１】本発明のシリンダードライヤーの実施例を示す部分断面図。
【符号の説明】
１  シリンダードライヤー
２  ロータリージョイント部
３  蒸気供給口
４  開口
５  サイフォン管
８  ドレン管
９  スチームトラップ
１１  水平管
【図１】
0003909960.tif 000002